(57)【特許請求の範囲】
【請求項１】
接着面に両面粘着テープおよび接着剤が設けられ、天井面の一部を覆う第１の天井材を天井面に配置する工程と、
第１の収容部および第２の収容部と、前記第１の収容部および前記第２の収容部の内部にそれぞれ設けられた弾性部材とを有する連結部材を、前記天井面に配置された前記第１の天井材の縁部が前記第１の収容部に収容されるように配置する工程と、
前記第１の天井材に前記連結部材を介して隣り合う第２の天井材を、前記第２の天井材の縁部が前記天井面に配置された前記連結部材の前記第２の収容部に収容されるように配置する工程と、
を備え、
前記接着剤は、前記接着面において、前記両面粘着テープと、前記連結部材と接する縁部との間に配置され、
前記第１の天井材の縁部が前記第１の収容部に収容されるように配置する工程において、前記第１の天井材の前記縁部と前記弾性部材とが接するまで、前記第１の収容部に前記第１の天井材を挿入し、
前記第１の収容部のうち前記弾性部材の前記天井面側の部分と、前記第１の天井材の縁部とで囲まれた空間に、前記接着剤の一部を供給することを特徴とする天井材の取付方法。
【請求項２】
前記第２の天井材と異なる方向で前記第１の天井材に隣り合う第３の天井材を備え、前記第１の天井材と前記第３の天井材とを互いに嵌合する形態で連結することを特徴とする請求項１に記載の天井材の取付方法。
【請求項３】
室内の天井面を覆う複数の天井材と、
前記天井材の縁部の少なくとも一部に沿って設けられ、隣り合う前記天井材を連結する連結部材と、
前記天井材を前記天井面に接着する両面粘着テープおよび接着剤と、を備え、
前記連結部材が、第１の天井材の縁部が収容される第１の収容部と、第２の天井材の縁部が収容される第２の収容部と、前記第１の収容部および前記第２の収容部の内部にそれぞれ設けられ、前記天井面と略平行な方向に弾性変形可能とされた弾性部材と、を備え、
前記第１の天井材および第２の天井材が、前記第１の天井材の縁部および第２の天井材の縁部において前記弾性部材と接する位置にそれぞれ取り付けられ、
前記両面粘着テープが、前記第１の天井材および第２の天井材の前記天井面に対向する接着面の少なくとも一部にそれぞれ設けられ、
前記接着剤が、前記第１の天井材および第２の天井材の前記天井面に対向する接着面において、前記両面粘着テープと、前記連結部材と接する縁部との間に配置され、
前記接着剤の一部は、前記第１の収容部のうち前記弾性部材の前記天井面側の部分と、前記第１の天井材の縁部とで囲まれた空間を充填していることを特徴とする天井材の取付構造。
【請求項４】
前記天井面は、２本の互いに交差する仮想線で分割された領域を覆う４枚の前記天井材で覆われていることを特徴とする請求項３に記載の天井材の取付構造。
【請求項５】
前記連結部材は、前記第１の収容部と前記第２の収容部を仕切る板部を有し、
前記弾性部材は、舌片状の形状を有し、前記弾性部材の基端側は前記板部に固定され、前記弾性部材の先端側は上方に向かって延びていることを特徴とする請求項３または４に記載の天井材の取付構造。
【発明の詳細な説明】
【技術分野】
【０００１】
本発明は、天井材の取付方法および天井材の取付構造に関する。
【背景技術】
【０００２】
浴室の天井は汚れやすく、カビも繁殖しやすいことから、浴室の天井を簡単にリフォームする方法が種々検討されている。このような方法の一例としては、防水性粘着帯と非有機溶剤系接着剤とを使用して、既存の天井面に樹脂製化粧パネルなどの天井材を配置する取付方法が挙げられる（特許文献１参照）。
【０００３】
また、天井面に複数の天井材を並べて配置しながら取り付ける方法の一例として、隣り合う天井材を互いに嵌合する形態で連結し、天井面に配置する取付方法が挙げられる（特許文献２参照）。
【先行技術文献】
【特許文献】
【０００４】
【特許文献１】特開２００３−２３９４９８号公報
【特許文献２】特開２０１３−０２８９６６号公報
【発明の概要】
【発明が解決しようとする課題】
【０００５】
しかしながら、これらの天井材の取付方法は、必ずしも施工性や加工性は十分ではなく、さらなる施工性、加工性の向上が求められていた。
【０００６】
本発明の一つの態様は、上記の課題を解決するためになされたものであって、施工性や加工性に優れた天井材の取付方法および天井材の取付構造を提供することを目的の一つとする。
【課題を解決するための手段】
【０００７】
本発明の一つの態様の天井材の取付方法は、接着面に両面粘着テープおよび接着剤が設けられ、天井面の一部を覆う第１の天井材を天井面に配置する工程と、第１の収容部および第２の収容部と、前記第１の収容部および前記第２の収容部の内部にそれぞれ設けられた弾性部材とを有する連結部材を、前記天井面に配置された前記第１の天井材の縁部が前記第１の収容部に収容されるように配置する工程と、前記第１の天井材に前記連結部材を介して隣り合う第２の天井材を、前記第２の天井材の縁部が前記天井面に配置された前記連結部材の前記第２の収容部に収容されるように配置する工程と、を備えたことを特徴とする。
【０００８】
前記第２の天井材と異なる方向で前記第１の天井材に隣り合う第３の天井材を備え、前記第１の天井材と前記第３の天井材とを互いに嵌合する形態で連結する方法としてもよい。
【０００９】
本発明の一つの態様の天井材の取付構造は、室内の天井面を覆う複数の天井材と、前記天井材の縁部の少なくとも一部に沿って設けられ、隣り合う前記天井材を連結する連結部材と、前記天井材を前記天井面に接着する両面粘着テープおよび接着剤と、を備え、前記連結部材が、第１の天井材の縁部が収容される第１の収容部と、第２の天井材の縁部が収容される第２の収容部と、前記第１の収容部および前記第２の収容部の内部にそれぞれ設けられ、前記天井面と略平行な方向に弾性変形可能とされた弾性部材と、を備え、前記第１の天井材および第２の天井材が、前記弾性部材と接する位置にそれぞれ取り付けられ、前記両面粘着テープが、前記第１の天井材および第２の天井材の前記天井面に対向する接着面の少なくとも一部にそれぞれ設けられ、前記接着剤が、前記第１の天井材および第２の天井材の前記天井面に対向する接着面の少なくとも一部にそれぞれ設けられることを特徴とする。
【００１０】
前記天井面は、２本の互いに交差する仮想線で分割された領域を覆う４枚の前記天井材で覆われている構成としてもよい。
【００１１】
前記連結部材は、前記第１の収容部と前記第２の収容部を仕切る板部を有し、前記弾性部材は、舌片状の形状を有し、前記弾性部材の基端側は前記板部に固定され、前記弾性部材の先端側は上方に向かって延びている構成としてもよい。
【発明の効果】
【００１２】
本発明の一つの態様によれば、施工性や加工性に優れた天井材の取付方法および天井材の取付構造が提供される。
【図面の簡単な説明】
【００１３】
【図１】本発明の一実施形態の天井材が浴室の天井面に配置された状態を概略的に示す斜視図である。
【図２】図１に示す天井材の一例を示す斜視図である。
【図３】本発明の一実施形態の連結部材を示す斜視図である。
【図４】図１に示す天井材を天井面に配置する具体的方法を説明する断面図である。
【図５】図１に示す天井材を天井面に配置する具体的方法を説明する斜視図である。
【図６】図３の連結部材を配置する具体的方法を説明する断面図である。
【図７】図１に示す天井材が天井面に配置された状態を示す断面図である。
【発明を実施するための形態】
【００１４】
本発明の一実施形態について、既存の浴室１０の天井面１００に新たに天井材を取り付ける場合、すなわち、浴室１０の天井をリフォームする場合を例示し、図１〜図７を用いて説明する。
なお、以下の説明で用いる図面は、特徴部分を強調する目的で、便宜上特徴となる部分を拡大して示している場合があり、各構成要素の寸法比率などが実際と同じであるとは限らない。また、同様の目的で、特徴とならない部分を省略して図示している場合がある。
【００１５】
＜天井材の取付方法＞
本実施形態に係る天井材が、浴室１０の天井面１００に配置された状態を図１に示す。浴室１０は、天井面１００の法線方向から見て、長方形の平面形状を有している。すなわち、天井面１００は長方形である。ここで、天井面１００の互いに対向する２本の長辺の中点同士を結ぶ直線を想定し、これを第１の仮想線と称する。また、天井面１００の互いに対向する２本の短辺の中点同士を結ぶ直線を想定し、これを第２の仮想線と称する。第１の仮想線と第２の仮想線とは互いに直交している。これらの２本の仮想線によって天井面１００を４つに分割した領域毎に、パネル状の天井材が両面粘着テープ（図示略）および接着剤（図示略）によって取り付けられている。
【００１６】
以下、説明の便宜上、図１における右奥の領域を第１の領域１と称し、第１の領域１に取り付けられる天井材を第１の天井材１１と称する。同様に、図１における左奥の領域を第２の領域２と称し、第２の領域２に取り付けられる天井材を第２の天井材１２と称する。図１における右手前の領域を第３の領域３と称し、第３の領域３に取り付けられる天井材を第３の天井材１３と称する。すなわち、第３の天井材１３は、第１の天井材１１に対して第２の天井材１２と異なる方向で隣り合って取り付けられている。図１における左手前の領域を第４の領域４と称し、第４の領域４に取り付けられる天井材を第４の天井材１４と称する。
なお、本実施形態の第３の天井材は、特許請求の範囲の第１の天井材に対応する。また、本実施形態の第４の天井材は、特許請求の範囲の第２の天井材に対応する。
【００１７】
第１の領域１には、換気孔６０が設けられている。そのため、第１の天井材１１には、換気孔６０に対応した形状および寸法の開口部が設けられている。また、第３の領域３および第４の領域４とに跨って、点検口８０が設けられている。そのため、第３の天井材１３および第４の天井材１４には、点検口８０に対応した形状および寸法の開口部が設けられている。
【００１８】
上記の４枚の天井材は、それぞれが独立に天井面１００に取り付けられているのではなく、隣り合う天井材同士が互いに連結されている。本実施形態においては、第１の天井材１１と第２の天井材１２とは、これらの天井材の縁部に沿って設けられた連結部材２０によって連結されている。同様に、第３の天井材１３と第４の天井材１４とは、これらの天井材の縁部に沿って設けられた連結部材２０によって連結されている。
【００１９】
一方、第１の天井材１１と第３の天井材１３とは、後述する嵌合構造により、互いに嵌合する形態で連結されている。同様に、第２の天井材１２と第４の天井材１４とは、後述する嵌合構造により互いに嵌合する形態で連結されている。
【００２０】
天井面１００と壁面とが接する浴室１０の角部５には、見切り材３０が設けられている。見切り材３０は、本実施形態の天井材の縁部のうち、上記の角部に接する側の縁部を支持する。
【００２１】
［天井材］
図２は、本実施形態の天井材の一例である。図２に示すように、上記の４つの天井材は構造上、２種類に分類することができる。１種の天井材は、４つの端面のうち１つの端面に、凹部１５が設けられている。他の３つの端面は平坦な面である。凹部１５を有する天井材として第１の天井材１１および第２の天井材１２が用いられる。他の１種の天井材は、４つの端面のうち１つの端面に、凹部１５と嵌合する凸部１６が設けられている。他の３つの端面は平坦な面である。凸部１６を有する天井材として第３の天井材１３および第４の天井材１４が用いられる。
なお、上記の天井材には図１に示したように換気孔６０および点検口８０に合わせて開口部が形成されているが、図２ではこれらの開口部をそれぞれ省略して図示してある。
【００２２】
上記の天井材の材質としては特に制限はないが、例えば、ポリ塩化ビニル層、アルミ板層、ポリ塩化ビニル層、高密度発泡ウレタン層、アルミフィルム層が順次積層された積層板、または発泡ポリ塩化ビニルの単層板などが好ましく使用できる。本実施形態では、発泡ポリ塩化ビニルの単層板を使用し、その接着面が天井面１００に接着するように配置する。また、浴室１０に露出する面の表面には、必要に応じてＵＶ塗装などを施して、汚れがつきにくく、また、汚れがついた場合でも容易に洗浄できるようにしてもよい。なお、この例の天井材は、厚さが４ｍｍのものである。
【００２３】
図３は、本実施形態の連結部材２０の一例である。連結部材２０は、第１の板部２１と、第２の板部２２と、第３の板部２３と、弾性部材２６と、を備える。第１の板部２１は、天井面１００に直接接する部分である。第２の板部２２は、第１の板部２１の短手方向中心に設けられ、第１の板部２１に対して垂直に延びた部分である。第３の板部２３は、第２の板部２２の端部に設けられ、第２の板部２２に対して垂直に延びた部分である。第２の板部２２の両側面には、第１の板部２１、第２の板部２２および第３の板部２３によって囲まれた空間がそれぞれ設けられている。これらの空間は、本実施形態の天井材の縁部が収容される収容部として機能する。図３における右側の収容部を第１の収容部２４と称し、第１の収容部２４に特許請求の範囲の第１の天井材の縁部が収容される。同様に、左側の収容部を第２の収容部２５と称し、特許請求の範囲の第２の天井材の縁部が収容される。第２の板部２２の両側面には、第１の収容部２４および第２の収容部２５の内部にそれぞれ突出するように天井面１００と略平行な方向に弾性変形可能とされた弾性部材２６が設けられている。
【００２４】
第１の板部２１、第２の板部２２および第３の板部２３の材質としては特に制限はないが、例えば、ポリ塩化ビニル、ポリプロピレン、ポリエチレン、ポリスチレン、ＡＢＳ樹脂、ＡＳＡ樹脂およびＰＥＴ樹脂が挙げられる。第１の板部２１、第２の板部２２および第３の板部２３は、一体成形されていることが好ましいが、必ずしも一体成形されていなくてもよい。
【００２５】
弾性部材２６は舌片状の形状を有し、弾性部材２６の基端側は、第２の板部２２に固定され、全体が湾曲し、弾性部材２６の先端側は上方に向かって延びている。弾性部材２６の材質としては、これらの部材に応力が加わった時に弾性変化するものが良く、例えば、軟質ポリ塩化ビニルおよび熱可塑性エラストマー（オレフィン系熱可塑性エラストマー、スチレン系熱可塑性エラストマー、ポリエステル系熱可塑性エラストマー）が挙げられる。なお、本実施形態における軟質とは、第１の板部２１、第２の板部２２および第３の板部２３よりも柔軟であることを意味する。
【００２６】
［見切り材］
図４（ａ）〜（ｂ）は、本実施形態の見切り材３０の一例である。見切り材３０は、天井面１００と壁面とが接する浴室１０の角部５に沿って固定される見切りベース部３１と、見切りベース部３１と互いに嵌合する部分を有する見切りカバー部３２とを有している。見切り材３０が、見切りベース部３１と見切りカバー部３２に分かれていることで、天井材の縁部を見切り材３０の収容空間に収容する際に、天井材を屈曲させる必要がないため、施工が容易になる。
【００２７】
また、見切りベース部３１には、連結部材２０と同じく、天井面１００と略平行な方向に弾性変形可能とされた弾性部材２６が設けられており、本実施形態の天井材の縁部にそれぞれ沿うようになっている。
【００２８】
［両面粘着テープ］
図４（ｂ）〜（ｄ）に示すように、両面粘着テープ４０は、本実施形態の天井材の接着面１１ａおよび１２ａの少なくとも一部にそれぞれ設けられている。本実施形態では、両面粘着テープ４０は、後述する接着剤が両面粘着テープ４０側へ拡がるのを抑制するように働く。このような両面粘着テープ４０としては、例えば、発泡ポリエチレンからなる弾性層をアクリル系粘着剤層で挟んだ厚さ０．９〜１．２ｍｍ程度の３層構造の両面粘着テープを使用することができる。
【００２９】
［接着剤］
接着剤５０は、本実施形態の天井材の接着面１１ａ〜１４ａの少なくとも一部にそれぞれ設けられている。図７に示す一例では、接着剤５０は、接着に十分な接着強度を発現させるために、天井材の接着面１１ａおよび１２ａの両面粘着テープ４０が設けられた領域以外に設けられている。また、接着剤５０を塊状に付着させているが、必要に応じて線状、面状に付着させることができる。なお、ここで塊状とは、およそ３ｍｍ以上の高さを持つことをいう。
【００３０】
このような接着剤５０としては、特に制限はないが、例えばエポキシ樹脂系、ポリウレタン樹脂系、（変性）シリコーン樹脂系などの室温において硬化するタイプの硬化型の接着剤を使用することができる。
【００３１】
［天井材の取付手順］
本実施形態の天井材の取付手順について図４〜図６を用いて説明する。図４（ａ）は、見切りベース部３１を天井面１００に取り付けた状態を示す。図４（ｂ）および図５（ａ）は、天井面１００の第１の領域１に第１の天井材１１を取り付けた状態を示す。図５（ｂ）は、天井面１００の第３の領域３に第３の天井材１３を取り付けた状態を示す。図４（ｃ）は、連結部材２０を天井面１００に取り付けた状態を示す。図４（ｄ）および図５（ｃ）は、天井面１００の第２の領域２に第２の天井材１２を取り付けた状態を示す。図５（ｄ）は天井面１００の第４の領域４に第４の天井材１４を取り付けた状態を示す。なお、図４および図６は、第１の天井材１１および第２の天井材１２のみ図示しており、第３の天井材１３および第４の天井材１４は省略されている。
【００３２】
最初に、凹部１５および凸部１６を有する大判の天井材を天井面１００の形状および寸法に合わせて裁断し、本実施形態の天井材を作製する。このとき、図１に示したように換気孔６０および点検口８０に合わせて開口部をそれぞれ加工する。
本実施形態の天井材の接着面１１ａ〜１４ａには、両面粘着テープ４０を貼り付け、接着剤５０を塗布する。両面粘着テープ４０の貼付位置および接着剤５０の塗布位置は特に限定されないが、本実施形態においては、両面粘着テープ４０を接着面１１ａ〜１４ａ周縁部に貼り付け、両面粘着テープ４０の外側に接着剤５０を塗布する。
また、連結部材２０および見切り材３０においても、天井面１００の形状および寸法に合わせて裁断する。
なお、各部材は必要に応じて、天井面１００の形状および寸法に合わせて裁断するが、はじめから各部材の形状および寸法が天井面１００の形状および寸法と合致していれば、上記の裁断工程を省くことができる。
【００３３】
図４（ａ）に示すように、本実施形態の天井材の下地となる位置に、浴室１０の角部５に沿って、見切りベース部３１を釘、ビス、タッカー、接着剤等で固定する。
【００３４】
次に、図４（ｂ）および図５（ａ）に示すように、両面粘着テープ４０および接着剤５０が設けられた第１の天井材１１を天井面１００の第１の領域１に取り付ける。このとき、第１の天井材１１の角部５に接する側の縁部を、見切りベース部３１の弾性部材２６に接するように配置する。そして、見切りカバー部３２を見切りベース部３１と互いに嵌合する形態で連結する。
【００３５】
次に、図５（ｂ）に示すように、両面粘着テープ４０および接着剤５０が設けられた第３の天井材１３を天井面１００の第３の領域３に取り付ける。このときには、既に第１の領域１に固定された第１の天井材１１の凹部１５と、第３の天井材１３の凸部１６とが互いに嵌合するように行う。このとき、第３の天井材１３の角部５に接する側の縁部は見切りベース部３１の弾性部材２６に接するように配置する。
【００３６】
次に、図４（ｃ）に示すように、連結部材２０を、第１の天井材１１および第３の天井材１３の縁部が連結部材２０の第１の収容部２４に収容されるように配置する。連結部材２０の取付手順に関しては図６を用いてより詳細に説明する。
【００３７】
図６（ａ）に示すように、連結部材２０を、第１の板部２１が天井面１００に沿うように第１の天井材１１の方向へスライドさせ、天井面１００と第１の天井材１１の隙間に第１の板部２１を挿入する。このとき、図６（ｂ）に示すように、第１の板部２１によって接着剤５０の一部が、第１の板部２１と第１の天井材１１との隙間へと進入する。さらに、連結部材２０をスライドさせることにより、図６（ｃ）に示すように、接着剤５０の一部が第１の収容部２４へと進入し、第１の板部２１、第２の板部２２、弾性部材２６および第１の天井材１１の縁部で囲まれた空間に供給される。
【００３８】
次に、図４（ｄ）および図５（ｃ）に示すように、両面粘着テープ４０および接着剤５０が設けられた第２の天井材１２を天井面１００の第２の領域２に取り付ける。このときには、第２の天井材１２の縁部を連結部材２０の第２の収容部２５に収容されるように行う。このとき、第２の天井材１２の角部５に接する側の縁部を見切り材３０の弾性部材２６に接触させ、第２の天井材１２を連結部材２０の方向にスライドさせることで取り付ける。
【００３９】
次に、図５（ｄ）に示すように、両面粘着テープ４０および接着剤５０が設けられた第４を天井面１００の第４の領域４に取り付ける。このときには、第４の天井材１４の縁部が連結部材２０の第２の収容部２５に収容されるように行う。このとき、既に第２の領域２に固定された第２の天井材１２の凹部１５と、第４の天井材１４の凸部１６とが互いに嵌合するように配置する。また、第４の天井材１４の角部５に接する側の縁部は見切りベース部３１の弾性部材２６に接するように配置する。
【００４０】
＜天井材の取付構造＞
本実施形態の天井材の取付構造について図７を用いて説明する。なお、図７は第１の天井材１１および第２の天井材１２のみ図示しており、第３の天井材１３および第４の天井材１４は省略されている。
【００４１】
図７に示す天井面１００には、天井面１００との間に両面粘着テープ４０を介し、第１の天井材１１および第２の天井材１２が取り付けられている。第１の天井材１１および第２の天井材１２の間には連結部材２０が取り付けられている。
【００４２】
連結部材２０には、第１の天井材１１の縁部が収容される第１の収容部２４と、第２の天井材１２の縁部が収容される第２の収容部２５とが備えられ、第１の収容部２４および第２の収容部２５の内部にそれぞれ設けられ、天井面１００と略平行に弾性変形可能とされた弾性部材２６が備えられている。第１の天井材１１および第２の天井材１２の縁部が、弾性部材２６と接する位置に取り付けられている。
【００４３】
接着剤５０は、天井面１００と第１の板部２１の隙間、第１の板部２１と第１の天井材１１の隙間、第１の板部２１と第２の天井材１２の隙間、第１の板部２１と第２の板部２２と弾性部材２６と第１の天井材１１で囲まれた空間、第１の板部２１と第２の板部２２と弾性部材２６と第２の天井材１２で囲まれた空間、第１の板部２１の縁部にそれぞれ供給されている。
【００４４】
このとき、連結部材２０に設けられた弾性部材２６は、第１の収容部２４および第２の収容部２５へ進入した接着剤５０が室内側の表面に露出することを防ぐように働く。また、浴室１０内の温度上昇によって、天井面１００に取り付けられた天井材が線膨張する場合に、弾性部材２６は、これらの天井材の伸縮を緩和し、線膨張に起因する浮き上がりや脱落を抑制することができる。
【００４５】
以上のことから、本実施形態の天井材の取付方法によれば、剛性が低く、たわみやすいパネル状の天井材であっても、天井面１００に設けられた領域毎に裁断または加工することができる。
また、隣り合う第１の天井材１１と第２の天井材１２を、天井面１００に取り付ける前に予め連結しなくてよく、第１の天井材が取り付けられている天井面１００に、第２の天井材１２を取り付ける際に、連結部材２０を用いて連結すればよい。連結部材２０は、第１の天井材１１を天井面１００に取り付けた後に、第１の天井材１１の縁部に沿って取り付ければよく、連結部材２０の取付位置を予め設定する必要はない。
さらに、第２の天井材１２の縁部を、既に天井面１００に取り付けられた連結部材２０の第２の収容部２５に収容する際に、見切り材３０が、見切りベース部３１と見切りカバー部３２に分かれていることで、第２の天井材１２を屈曲させる必要がなく、連結部材２０の方向にスライドさせるだけでよい。
【００４６】
また、本実施形態の天井材の取付構造によれば、連結部材２０や見切り材３０に設けられた弾性部材２６は、天井面１００に取り付けられた天井材の伸縮を緩和し、線膨張に起因する浮き上がりや脱落を抑制することができる。
また、接着剤５０は、連結部材２０の弾性部材２６により室内側の表面に露出するのを抑制できるため、接着剤５０の露出による外観の低下を回避することができる。
したがって、本実施形態によれば、施工性や加工性に優れた天井材の取付方法および天井材の取付構造が提供される。
【００４７】
本実施形態においては、４枚の天井材を用いることで、施工性や加工性を向上させている。天井材の枚数が４枚より少ないと、施工性や加工性の向上といった効果が十分に得られない。また、天井材の枚数が４枚を超えると、施工性や加工性が低下するだけでなく、外観が悪化する。
仮に、天井面１００を一方向のみに４つに分割した領域毎に、パネル状の天井材が取り付けられたとすると、細長い形状となって天井材の長手方向がたわみやすくなり、施工性や加工性の向上といった効果が十分に得られない。以上のことから、本実施形態においては、天井面１００は第１の仮想線と、第１の仮想線と互いに直交する第２の仮想線で分割した領域を覆う４枚の天井材で覆われていることが好ましい。
【００４８】
なお、本発明の技術範囲は上記実施形態に限定されるものではなく、本発明の趣旨を逸脱しない範囲において、種々の変更を加えることが可能である。
【００４９】
例えば上記実施形態では、天井面１００を分割する２本の仮想線は互いに直交しているが、これらの仮想線は必ずしも互いに直交していなくてよく、互いに交差していればよい。
また、上記実施形態では、これらの仮想線で分割する領域を覆う天井材の形状は、４角形であるが、多角形であってもよい。例えば、浴室１０が円形または楕円形等の場合には、扇形または半円形等であってもよい。
また、上記実施形態においては、天井面１００を覆う天井材の枚数は４枚であるが、上記に限定されず、天井面１００の形状や寸法に応じて適宜変更してもよい。
【００５０】
さらに、上記実施形態においては、第１の天井材１１と第３の天井材１３とが互いに嵌合する形態で連結しているが、連結部材２０で連結していてもよい。同様に、第２の天井材１２と第４の天井材１４とが、互いに嵌合する形態で連結しているが、連結部材２０で連結していてもよい。
【００５１】
さらに、上記実施形態においては、連結部材２０の各板部の形状および寸法は上記に限定されず、天井面１００の形状や寸法に応じて適宜変更してもよい。
【００５２】
さらに、上記実施形態においては、連結部材２０の接着面に、接着剤５０が設けられていてもよい。
【００５３】
さらに、上記実施形態においては、連結部材２０や見切り材３０に設けられた弾性部材２６は、舌片状の形状を有し、先端が上に向かって湾曲しているが、弾性部材２６と同様の効果を有する範囲においては、これらの形状に特に限定されない。また、見切り材３０の弾性部材２６においては、クッション材に変更してもよい。
【００５４】
さらに、上記実施形態においては、見切りカバー部３２の取り付けは、１枚の天井材を取り付けた直後に行っているが、全ての天井材を取り付けた後に行ってもよい。１枚の天井材を取り付けた直後に見切りカバー部３２を取り付けることで、この天井材の落下を防ぎ、この天井材を安定に固定することができる。さらに、シーリング材を用いて、壁面と見切りカバー部３２との間に生じた隙間を埋めてもよい。
【００５５】
さらに、上記実施形態においては、本発明の天井材の取付方法および取付構造として特に好適な、浴室１０をリフォームする場合を例示し、既存の浴室１０の天井面１００に天井材を取り付ける場合について説明したが、本実施形態に係る天井材の取付方法および天井材の取付構造は、浴室以外の室内の天井面に天井材を取り付ける場合においても適用することができる。
【産業上の利用可能性】
【００５６】
本発明は、例えば浴室等の天井材の取付方法および天井材の取付構造に利用が可能である。
【符号の説明】
【００５７】
１…第１の領域、２…第２の領域、５…角部、１０…浴室、１１…第１の天井材、１２…第２の天井材、１１ａ、１２ａ…接着面、１５…凹部、１６…凸部、２０…連結部材、２４…第１の収容部、２５…第２の収容部、２６…弾性部材、３０…見切り材、４０…両面粘着テープ、５０…接着剤、６０…換気孔、８０…点検口、１００…天井面
【図１】
0006621011.tif 000002
【図２】
0006621011.tif 000003
【図３】
0006621011.tif 000004
【図４】
0006621011.tif 000005
【図５】
0006621011.tif 000006
【図６】
0006621011.tif 000007
【図７】
0006621011.tif 000008